(57)【要約】      （修正有）【課題】複数の鉢を並べて載置した灌水用トレイ内に各鉢の鉢底から水遣りするために必要な量の水を速やかに溜めることができると同時に、そのトレイ内に溜まった余剰水を確実にトレイ外へ排出させることができる灌水用トレイを提供する。【解決手段】灌水用トレイ１の底部に、そのトレイ内に溜まった余剰水を排水するための排水孔５が形成され、その排水孔５が、余剰水を浸透させて徐々に排水する透水性の排水栓６によって閉塞される構成となっている。【選択図】図２
0003142592.tif 000002
【実用新案登録請求の範囲】
【請求項１】
複数の鉢を並べて載置したトレイ内に給水して各鉢の鉢底から水遣りする灌水用トレイにおいて、トレイの底部に、トレイ内に溜まった余剰水を排水するための排水孔が一以上形成され、その排水孔が、前記余剰水を浸透させて徐々に排水する透水性の排水栓によって閉塞されることを特徴とする灌水用トレイ。
【請求項２】
前記排水孔が、円筒型に形成され、前記排水栓が、前記排水孔の孔内に装填可能な円柱型ないし円盤型に形成されている請求項１記載の灌水用トレイ。
【請求項３】
前記排水栓が、連続気孔の多孔質体で形成されている請求項１又は２記載の灌水用トレイ。
【請求項４】
前記多孔質体が、気孔径約１００〜３００μｍのＰＶＡスポンジである請求項３記載の灌水用トレイ。
【考案の詳細な説明】
【技術分野】
【０００１】
本考案は、鉢植え植物に鉢底から水遣りするために使用される灌水用トレイに関する。
【背景技術】
【０００２】
例えば、イチゴ栽培においては、親株から伸びたランナーの先に発育した子苗を、培土を入れたポリポットと称する９．０ｃｍ〜１２ｃｍ径のポリエチレン樹脂製の育苗鉢に植え付けるか、あるいは育苗床となる多数のセルが縦横方向に一定の間隔で並ぶように形成されたセルトレイの各セルに植え付けて、雨よけハウス内で数ヶ月間にわたって育苗することとしている。
【０００３】
この育苗期には、苗の発根が進むにつれて培土が乾燥しやすくなるので、灌水量や灌水頻度を多くする必要があるが、苗が植え付けられた育苗鉢やセルトレイの上方からシャワー状やミスト状に散水して水遣りする灌水方式では、各苗すべてに均等に水遣りすることが難しく、灌水ムラを生じ易いという問題がある。殊に、葉が生い茂ってくると、その葉に遮られて十分な水遣りができなくなるため、灌水不足によって苗の生育が阻害されるおそれがある。
【０００４】
また、イチゴ栽培においては、主に育苗期、特に夏場に炭疽病が発生しやすく、炭疽病が満延すると苗が枯死する病害が続発して果実の収穫が不能になるので、炭疽病の防除対策が不可欠であるが、農薬の散布だけでは防除が難しく、炭疽病菌の胞子を育苗床に持ち込まないようにすることが重要である。
【０００５】
しかし、炭疽病菌の胞子は、雨滴や灌水の水滴によって周囲に飛び散り近くの株や子苗に感染していくため、育苗鉢やセルトレイの上方からシャワー状に散水して水遣りすると、炭疽病の感染を拡大させることとなり、特に、シャワーの水滴が育苗鉢の土や泥を跳ね上げて感染を拡大させるおそれが大である。
【０００６】
そこで、水滴の飛散による炭疽病の伝染を防止するために、灌水用の給水管から分岐させた多数の分岐チューブを各育苗鉢やセルトレイの各セルの間近まで延長させて、それら分岐チューブの延長端から各育苗鉢や各セルに入れられた培土の表面にポタポタと水滴を垂らして水遣りするドリップ方式（点滴方式）の灌水装置が提案されている（特許文献１参照）。
【特許文献１】特開２００１−１８６８２３号公報
【０００７】
しかし、特許文献１の灌水装置は、各分岐チューブの長さの違いや、各分岐チューブの給水管に対する接続位置の違い（給水管の上流側か、下流側かの違い）に起因する水圧差によって、各分岐チューブの延長端から吐出する水量が個々に異なるため、各育苗鉢や各セルに対する灌水量が不均一になり、苗の生育状態にバラツキが生ずるという欠点がある。
【０００８】
この欠点を解消するために、セルトレイの各セルの開口部内に位置する点滴部を備えた保水性シートをセルトレイの上面全体に被せて、該保水性シートに給水管から供給される水分を各セルの開口部内に位置する点滴部から各セル内にポタポタと滴下させて供給するドリップ方式の灌水装置が提案されている（特許文献２参照）。
【特許文献２】特開２００６−２８８３９２号公報
【０００９】
しかしながら、特許文献２の灌水装置は、給水管からセルトレイの上面に被せた保水性シートへの水分の供給を開始しても、保水性シートの含水量（保水量）が飽和状態に達するまでは、その保水性シートの点滴部からセルトレイの各セル内への給水は開始されず、また、給水管から保水性シートへの水分の供給を停止しても、その点滴部からセルトレイの各セル内への給水は即座に停止せずに、滴下する時間的間隔が徐々に長くなりながらもポタポタと滴下して給水される状態が暫く継続するので、各セルへの灌水量を厳密に管理することができないという欠点がある。また、給水管に近い位置に在るセルは、給水管から遠い位置に在るセルに比べて、給水が早く開始され、遅く終了するので、各セルに対する灌水量を均一化することも困難であり、灌水ムラが生ずることは避けられない。
【００１０】
更に、特許文献１の灌水装置は、セルトレイのセルの個数に相当する本数の分岐チューブを配管しなければならず、また、特許文献２の灌水装置は、セルトレイのセルの個数に相当する数の点滴部を備えた保水性シートをセルトレイの上面全体に被せなければならないので、何れの装置も、その構造が煩雑で設備費が嵩むと同時に、メンテナンスも面倒であるという欠点がある。
【００１１】
これに対し、鉢の下部を水に浸して鉢底から水遣りする方式の灌水装置は、灌水の水滴が葉や培土の上に降り掛かって炭疽病菌の胞子が周囲に飛び散ることがないし、灌水ムラも生じないという利点があり、この種の従来装置としては、例えば図７に示す如く、栽培水５０を貯留する貯水トレイ（灌水用トレイ）５１の底部に、ウレタンフォームや、スポンジ、不織布等の吸水性材料で作られた給水マット５２が設置され、該給水マット５２に含浸された貯水トレイ５１内の栽培水が、給水マット５２の上面に並べて載置された栽培ポット５３、５３…の鉢底からそれら各ポット５３内の培土５４に吸水されるようにしたものがある（特許文献３及び４参照）。
【特許文献３】特開２００２−３０５９９７号公報
【特許文献４】特開平６−３２７３５７号公報
【００１２】
しかし、図７の灌水装置は、炭疽病菌の胞子を周囲に飛び散らせるおそれはなく、また、各ポット５３、５３…に対する灌水量を均一化して灌水ムラを防止することはできるものの、ポット５３、５３…を載置する給水マット５２が、貯水トレイ５１内の栽培水５０を吸水含浸して常時濡れっ放しの状態となっているため、ポット５３の鉢底からの灌水量が過剰となって、そのポット５３で栽培する植物５５の根５６が根腐れを生じたり、酸素不足によって発根が阻害されたり、あるいは、その根５６がポット５３の鉢底から外へ伸び出て、給水マット５２の上面に根を張るように発根するおそれがある。また、数日経過すると、栽培水５０を貯留した貯水トレイ５１内に藻が発生し、栽培水５０の溶存酸素が不足して不潔になっていき、夏場は、貯水トレイ５１内がボウフラの繁殖場となるおそれもある。
【００１３】
そこで本願の考案者は、鉢の下部を水に浸して鉢底から水遣りする方式の灌水装置に関して、灌水量の過剰や酸素不足による根腐れが生じず、鉢底から鉢の外への発根も生じない構造に改良する考案を提案した（特許文献５参照）。
【特許文献５】実用新案登録第３１３５５４４号公報
【００１４】
その考案に係る潅水装置は、図３に示すように、イチゴの育苗鉢となるポリポット等の鉢２１、２１…の下部を水に浸してその鉢底から水遣りする灌水用トレイ２２と、該トレイ２２をイチゴ栽培用のハウス内に複数枚並べて設置する架台２３と、該架台２３に設置された複数枚の灌水用トレイ２２、２２…に朝夕２回にわたって一定量の水を間欠的に供給する給水管２４とを備えている。
【００１５】
そして、灌水用トレイ２２は、図４の平面図、図５のＡ−Ａ線断面図、図６の一部切欠側面図に示すように、全体が角型トレイに成形され、その底部２５には、該底部２５に立設された多数の突起２７、２７…の集合体によって、複数の鉢２１、２１…を同じ高さに並べて載置する水平な上げ底２６が形成されると共に、その底部２５が、トレイの片端部２２ａ側が底浅で、トレイの他端部２２ｂ側が底深となる傾斜底を形成し、その底深となるトレイの端部２２ｂに、トレイ内の水を毛細管作用で吸い上げてトレイ外へ排出させるポリエステル長繊維製の排水用不織布シート２８が配設されている。
【００１６】
また、灌水用トレイ２２には、そのトレイ内の水位が上げ底２６の高さよりも高い一定の水位Ｘ（必要十分な灌水量が得られる水位）を超えたときに、給水管２４からトレイ内に供給された余剰水をトレイ外へオーバーフローさせて排出する水位調整用の溢流部２９が設けられている。この溢流部２９は、トレイの底部２５に開口せられた円形孔３０と連通するようにその底部２５に立設されるパイプ３１又は３２で形成されており、育苗初期で気温も低い春期は、鉢２１の灌水量が比較的少量で足りるので、短めのパイプ３１を用いて水位Ｘを低めに設定し、苗の発根が進み気温も高い夏期は、育苗初期の春期よりも灌水量を多くする必要があるので、長めのパイプ３２を用いて水位Ｘを高めに設定するようになっている。また、パイプ３１、３２は、塩化ビニル管等のプラスチック管で形成され、トレイの底部２５に開口する円形孔３０の周囲には、パイプ３１又は３２を脱着自在に嵌め止めるための係止用リブ３３が形成されている。
【００１７】
架台２３は、灌水用トレイ２２を水平に載せる前後一対の平行パイプ３４、３４と、両パイプ３４、３４を支持する複数本の脚パイプ３５、３５…とで形成されており、架台２３の設置高さは、灌水用トレイ２２の上げ底２６に載置された鉢２１、２１…の手入れを立ち姿勢で行うことができるように、イチゴ栽培用ハウスの地面から約６０〜８０ｃｍ程度の高さに選定されている。
【００１８】
給水管２４は、架台２３に並べて載置された灌水用トレイ２２、２２…の上部に沿うように配管され、送水ポンプによって送水される水をトレイ２２、２２…内に吐出するノズル孔３６、３６…が長さ方向に沿って一定の間隔で設けられている。なお、送水ポンプの送水量は、各トレイ２２、２２…の全ての水位が上げ底２６の高さよりも高い一定の水位Ｘに達する水量に設定され、その水量を朝夕２回にわたって送水するようにタイマーによって稼動制御される。
【００１９】
また、灌水用トレイ２２の端部２２ｂに配設する排水用不織布シート２８の単位時間当たりの排水量はそのサイズに比例し、該シート２８は、送水ポンプが稼動を停止して給水管２４によるトレイ２２内への水の供給が停止してから例えば約３０分後に、トレイ２２内の水位を上げ底２６の高さよりも低い位置まで低下させることができる程度のサイズに裁断されている。
【００２０】
これにより、図３の潅水装置は、灌水用トレイ２２の底部２５に形成された水平な上げ底２６に並べて載置された各鉢２１、２１…の下部が、給水管２４によって上げ底２６よりも高い一定の水位Ｘまで供給される水に浸されて、各々の鉢底から均等に水遣りされると共に、トレイ２２内に溜まった余剰水が、排水用不織布シート２８に吸い上げられて、該シート２８の端からトレイ２２の外へポタポタと滴下して排出され、給水管２４によるトレイ２２内への水の供給が停止してから約３０分が経過すると、トレイ２２内の水位が上げ底２６の高さよりも低くなって、その上げ底２６に並べて載置された各鉢２１、２１…への水遣りが一斉に停止されるから、各鉢２１、２１…の灌水量が最適化されて、灌水量の過剰や酸素不足による根腐れを生ずるおそれもないというものであった。
【００２１】
しかしながら、図３の潅水装置の実用化試験を実施したところ、ポリエステル長繊維製の排水用不織布シート２８は、トレイ２２内に溜まった余剰水を吸い上げてトレイ２２の外へ排出させる排水機能が短期間で失われることが判明した。すなわち、排水用不織布シート２８は、該シートを形成するポリエステル長繊維の表面に親水性を高める薬品がコーティングされているが、経時に伴なってそのコーティングが剥がれ落ち、トレイ２２内の水を毛細管作用で吸い上げる機能が低下して、その水をトレイ２２の端部２２ｂを乗り越えさせてトレイ２２の外へ排出させることができなくなることが判った。そのため、排水用不織布シート２８を頻繁に新しいものと交換しなければならず、その交換作業の労力や交換費用が嵩むという問題があった。また、各トレイ２２、２２…の端部２２ｂに排水用不織布シート２８が雑巾のように垂れ掛けられるので、見栄えが悪いという問題もあった。
【考案の開示】
【考案が解決しようとする課題】
【００２２】
本考案は、トレイ内に水を溜めて各鉢の鉢底から水遣りすることができると同時に、トレイ内に溜まった余剰水を確実にトレイ外へ排出させることができる灌水用トレイを提供することを技術的課題としている。
【課題を解決するための手段】
【００２３】
上記課題を解決するために、本考案は、複数の鉢を並べて載置したトレイ内に給水して各鉢の鉢底から水遣りする灌水用トレイにおいて、トレイの底部に、トレイ内に溜まった余剰水を排水するための排水孔が一以上形成され、その排水孔が、前記余剰水を浸透させて徐々に排水する透水性の排水栓によって閉塞されることを特徴とする。
【考案の効果】
【００２４】
本考案に係る灌水用トレイは、その底部に形成された排水孔が透水性の排水栓によって閉塞されることにより、複数の鉢を並べて載置したトレイ内に必要量の水を溜めて各鉢の鉢底から水遣りすることができると同時に、トレイ内に溜まった余剰水を確実にトレイ外へ排出させることができる。
【考案を実施するための最良の形態】
【００２５】
本考案に係る灌水用トレイの最良の実施形態は、プラスチックあるいはステンレス鋼板等の金属板で成形されたトレイの底部に、その底部に立設された多数の突起の集合体によって、複数の鉢を並べて載置する水平な上げ底が形成されると共に、トレイ内に溜まった余剰水を排水するための排水孔が形成され、その排水孔が、トレイ内の余剰水を浸透させて徐々に排水する透水性の排水栓によって閉塞される構成となっている。
【００２６】
トレイの底部に形成する排水孔は、円筒型に形成され、その排水孔を閉塞する排水栓は、排水孔の孔内に押し込んで装填することができる円柱型ないし円盤型に形成されている。また、排水栓は、透水性を有する連続気孔の多孔質体で形成されており、その多孔質体としては、例えば気孔径約１００〜３００μｍのＰＶＡスポンジが用いられている。
【実施例】
【００２７】
図１は本考案に係る灌水用トレイの一例を示す平面図、図２はそのトレイの一部切欠側面図である。
【００２８】
本例の灌水用トレイ１は、硬質プラスチックによってＷ６００〜７００ｍｍ、Ｄ４００〜５００ｍｍ、Ｈ５０〜６０ｍｍ程度のサイズを有する角型トレイに成形され、その底部２に、該底部２に立設された円柱状のボッチで成る多数の突起３、３…の集合体によって、複数の鉢を同じ高さに並べて載置する水平な上げ底４が形成されると共に、トレイ１内に溜まった余剰水を排水するための排水孔５が、トレイ１の片端側と他端側に夫々一つずつ形成され、それら排水孔５、５が、トレイ１内の余剰水を浸透させて徐々に排水する透水性の排水栓６によって閉塞されるようになっている。
【００２９】
排水孔５は、内径約２０ｍｍ、深さ約１０ｍｍの円筒型の孔に形成され、排水栓６は、排水孔５の孔内に押し込んで装填可能な外径約２１ｍｍ、高さ約１１ｍｍの円柱型ないし円盤型の栓に形成されている。なお、排水孔５は、その孔内に装填した排水栓６の抜け落ちを防止するために、下端側の開口部が狭められた形状となっている。また、排水栓６は、透水性を有する連続気孔の多孔質体で形成され、本例では、その多孔質体としてポリビニルアルコールを原料とするＰＶＡスポンジが用いられている。
【００３０】
また、トレイ１の底部２には、そのトレイ内に供給される遣り水の水位が上げ底４よりも一定以上高くなったときに、余剰水をトレイ外へオーバーフローさせて排出する水位調整用の溢流部７が設けられており、該溢流部７は、トレイ１の底部２に開口せられた円形孔８と連通してその底部２に脱着可能に立設されるパイプ９で形成されている。また、トレイ１の底部２には、その底部２に開口する円形孔８の周囲に沿って、該孔８と連通させて立設するパイプ９を脱着自在に嵌め止めるための係止用リブ１０、１０…が形成されている。
【００３１】
しかして、本例の灌水用トレイ１を、図３の灌水用トレイ２２に代えて、同図に示す潅水装置に用いると、そのトレイ１の底部２に形成された水平な上げ底４に並べて載置される各鉢２１、２１…の下部が、給水管２４から供給される水に浸されて、その鉢底から均等に水遣りされると同時に、トレイ１内に溜まった余剰水が、その余剰水を浸透させて徐々に排水する透水性の排水栓６を透過して該排水栓で閉塞された排水孔５からトレイ１の外へ排出される。
【００３２】
これにより、トレイ１内の水位が徐々に低下して上げ底４の高さよりも低くなり、その上げ底４に並べて載置された各鉢の水遣りが一斉に停止されるので、各鉢の灌水量が最適化され、灌水量の過剰や酸素不足による根腐れを生ずるおそれもない。また、鉢を載置する上げ底４は、多数の突起３、３…の集合体によって形成されているので、トレイ１内の水位が上げ底４の高さより低くなると、各鉢の鉢底からの水遣りが停止されるのみならず、その鉢底が、上げ底４を形成する突起３、３…間の隙間に介在・流通する空気に触れて乾燥させられるので、鉢底の穴から鉢の外への発根が防止される。
【００３３】
なお、排水栓６を形成する連続気孔の多孔質体は、その気孔径が３００μｍを超えると、トレイ内に溜まった余剰水を排水する時間は短くなるが、トレイ内に必要量の水が溜まるまでの所要時間が長くなり、その間に排水孔５からトレイ外へ無駄に排水される水量が多くなる。一方、気孔径が１００μｍ未満になると、トレイ内に必要量の水が溜まるまでの所要時間は短くなり、その間に排水孔５からトレイ外へ無駄に排水される水量も少なくなるが、トレイ内に溜まった余剰水を排水する時間が長くなる。このため、排水栓６は、気孔径約１００〜３００μｍのＰＶＡスポンジで形成するのが好ましい。
【００３４】
排水栓６を形成するＰＶＡスポンジに気孔を塞ぐ微細なゴミや水藻等が付着したときは、その排水栓６を排水孔５の下端側開口部から細い棒や指先などで突いて排水孔５の孔内から取り出し、水洗いするだけで、何度も繰り返して使用することができ、経時によって透水性が低下することもないので、灌水用トレイ１内に溜まった余剰水を確実に排水することができる。
【産業上の利用可能性】
【００３５】
本考案は、例えばイチゴの育苗鉢の灌水量を適正に管理して苗の生育を促進させ、また、灌水量の過剰や酸素不足による根腐れを確実に防止し、更に、鉢底から鉢の外への発根も防止して、イチゴの生産量向上に資するものである。
【図面の簡単な説明】
【００３６】
【図１】本考案に係る灌水用トレイの一例を示す平面図
【図２】図１に示す灌水用トレイの一部切欠側面図
【図３】従来の灌水用トレイを用いた潅水装置の斜視図
【図４】図３に示す灌水用トレイの平面図
【図５】図３に示す灌水用トレイの図４Ａ−Ａ線断面図
【図６】図３に示す灌水用トレイの一部切欠側面図
【図７】灌水装置の従来例を示す断面図
【符号の説明】
【００３７】
１…灌水用トレイ
２…底部
３…突起
４…上げ底
５…排水孔
６…排水栓
【図１】
0003142592.tif 000003
【図２】
0003142592.tif 000004
【図３】
0003142592.tif 000005
【図４】
0003142592.tif 000006
【図５】
0003142592.tif 000007
【図６】
0003142592.tif 000008
【図７】
0003142592.tif 000009